(57)【要約】  吸収性物品及び拭き取り用物品を収納し分与するためのパッケージである。このパッケージは、内部収納空間を画定する１つ以上の壁と、その内部収納空間に接近するための手段と、を有している。このパッケージは、内部収納空間内に設けられた１つ以上の第１の物品を備えており、その１つ以上の第１の物品のうちの少なくとも１つは吸収性物品である。このパッケージは、内部収納空間内に設けられた１つ以上の第２の物品を更に備えており、その１つ以上の第２の物品のうちの少なくとも１つは、中に設けられた拭き取り用物品を有する収容小袋である。その１つ以上の第２の物品のうちの少なくとも１つは、１つ以上の第１の物品のうちの少なくとも１つに接合されている。このパッケージは更に、パッケージ上に１つ以上の知覚的な指示を備えており、パッケージ上のその１つ以上の知覚的な指示は、１つ以上の第２の物品上のしるしに関連している。このパッケージ上の１つ以上の知覚的な指示は又、拭き取り用物品に関連している。
2009518248.tif 000002
【特許請求の範囲】
【請求項１】
吸収性物品及び拭き取り用物品を収納し分与するためのパッケージであって、内部収納空間を画定する１つ以上の壁と、前記内部空間に接近するための手段と、を有し、
ａ．前記内部収納空間内に設けられた１つ以上の第１の物品であって、前記１つ以上の第１の物品のうちの少なくとも１つは吸収性物品を含んでいる、第１の物品と、
ｂ．前記内部収納空間内に設けられ、しるしを有する１つ以上の第２の物品であって、前記１つ以上の第２の物品のうちの少なくとも１つが、内部に拭き取り用物品が設けられている収容小袋を有し、前記１つ以上の第２の物品のうちの少なくとも１つが前記１つ以上の第１の物品のうちの少なくとも１つに接合されている、第２の物品と、
ｃ．前記パッケージ上の１つ以上の知覚的な指示であって、前記１つ以上の第２の物品上の前記しるしに関連する知覚的な指示と、
ｄ．前記拭き取り用物品に関連する、前記パッケージ上の１つ以上の知覚的な指示と、を備えるパッケージ。
【請求項２】
前記拭き取り用物品に関連する前記知覚的な指示は、１つ以上の水滴を描写するしるしを含む、請求項１に記載のパッケージ。
【請求項３】
前記拭き取り用物品に関連する前記知覚的な指示は、１つ以上の拭き取り用物品を描写するしるしを含む、請求項１又は２に記載のパッケージ。
【請求項４】
前記第２の物品上の前記しるし及び前記パッケージ上の前記しるしは同じである、請求項１から３のいずれか一項に記載のパッケージ。
【請求項５】
身体に面する側部と、衣類に面する側部と、長さと、幅と、２つの長手方向の側部縁と、を有する生理用ナプキンであって、
ａ．液体透過性トップシートと、
ｂ．前記液体透過性トップシートに接合された液体不透過性バックシートであって、対向する内向きの面と外向きの面とを有する液体不透過性バックシートと、
ｃ．前記トップシートと前記バックシートとの間に配置された吸収性コアと、
ｄ．対向する外方に面する側部と内方に面する側部とを有する取り除き可能な包装材であって、前記内方に面する側部は前記バックシートの前記外向きの面に取り除き可能に接合されており、前記取り除き可能な包装材は、長手方向の寸法と、横方向の寸法と、内向きの面と、外向きの面と、一対の長手方向の側縁部と、一対の端縁部と、一対の端部と、を有し、前記生理用ナプキン及び前記取り除き可能な包装材は、包装材を第１、第２、及び第３の三分割の部分に分ける２つの横軸で折り畳まれる、取り除き可能な包装材と、
ｅ．内部に拭き取り用物品が設けられ、前記生理用ナプキンに接合手段によって接合された収容小袋であって、前記接合手段が前記生理用ナプキンの重量と少なくとも同程度の大きさの接着力を有し、前記収容小袋は開口手段を更に有している、収納小袋と、を備え、
前記開口手段が、
ｉ．前記収容小袋の表面積の約１％〜５０％を含む第１の把持部分であって、前記第１の把持部分が少なくとも部分的に除去可能であり、前記第１の把持部分がユーザーによって少なくとも部分的に除去された場合に、前記収容小袋が開口して前記ユーザーが前記収容小袋内に入れられた前記拭き取り用物品に手が届くようになり、更に、前記第１の把持部分を少なくとも部分的に除去するのに必要な力は、前記接合手段の前記接着力よりも小さくなっている、第１の把持部分と、
ｉｉ．前記第１の把持部分に隣接して配置された第２の把持部分と、
ｉｉｉ．前記第１の把持部分を含む前記収容小袋の部分と、前記第２の把持部分を含む前記収容小袋の部分と、をユーザーに伝えるための知覚的な指示と、を有している、生理用ナプキン。
【請求項６】
前記第１の把持部分を少なくとも部分的に除去するのに必要な力は、前記接合手段の前記接着力以上である、請求項５に記載の生理用ナプキン。
【請求項７】
前記第１の把持部分を少なくとも部分的に除去するのに必要な力は、略０．５Ｎから略１５Ｎである、請求項５又は６のいずれか一項に記載の生理用ナプキン。
【請求項８】
前記第１の把持部分を少なくとも部分的に除去するのに必要な力は、略１Ｎから略１０Ｎである、請求項５から７のいずれか一項に記載の生理用ナプキン。
【請求項９】
前記第１の把持部分を少なくとも部分的に除去するのに必要な力は、略６Ｎである、請求項５から８のいずれか一項に記載の生理用ナプキン。
【発明の詳細な説明】
【技術分野】
【０００１】
本発明は、一般に、使い捨て吸収性物品及び拭き取り用品並びにそれらのためのパッケージに関する。
【背景技術】
【０００２】
おむつ、生理用ナプキン、パンティライナー、成人用失禁パッドなど、身体排出物を吸収し処理するための着用式の吸収性物品が当該技術分野において既知である。加えて、吸収性物品には、その吸収性物品の上又は中に含められた身体排出物に関する悪臭を隠すために、又更には、アロマセラピーを人に提供するために、香気を発生する組成物を含んでいるものもある。個人の衛生的な要求が異なるが故に、生理用ナプキンのような物品は多くの場合、個別に包装されている一方で、おむつ、パンティライナー又は成人用失禁パッドは、共通のパッケージ内に積み重ね体としてパックされていることがある。又、ユーザーの身体の各部分は多くの場合清潔である必要があり、吸収性物品を交換する人の手が汚れることがあるため、そのような吸収性物品を交換することは、衛生上の問題となりうることが認識されている。これは、非衛生的であると認められている。
【０００３】
又、身体排出物で汚れた皮膚の部分を清潔にするために拭き取り用物品を使用することは、当該技術分野において周知である。例えば、湿らせた乳児用拭き取り用物品の使用が、広く行われている。そのような拭き取り用物品は不織布材でできており、しばしば、清潔化を容易にするために、又その拭き取り用物品で処置する皮膚の部分に皮膚に関する利点をもたらすために、ローション又は水溶液を含んでいる。加えて、拭き取り用物品は、清潔化の過程に伴う悪臭を隠すために、且つ／又は、心地よい香りをユーザーに提供するために、香りを付けることができる。拭き取り用物品の湿気及び香気を維持するために、これらの拭き取り用物品は、蒸気不透過性のパッケージにパックされている。典型的には、清潔化用の拭き取り用物品は、湿性の乳児用拭き取り用物品の場合など、積み重ねて共通のパッケージにパックされる。航空機内で支給される清潔化用の拭き取り用物品など、他の例においては、わずか１つの拭き取り用物品が包装材に個別にパックされている。重要なこととして、拭き取り用物品上の封じ込められた香りは、例えば生理用ナプキンなどの別の個人用ケア物品上の封じ込められた香りと対立し、結果として、ユーザーにとって望ましくない体験をもたらす。
【０００４】
現在のところ、汚れた生理用ナプキンなど、汚れた吸収性物品を交換しようと試みる場合、その物品を交換するユーザー又は人は、交換用の物品を含んだパッケージ、並びに清潔化用の拭き取り用物品を含んだ別のパッケージを持ち運ばなければならない。このことは、多数の品目を含んだ多くのパッケージを開口し、取り扱い、処分することが必要となるため、明らかに不利である。
【０００５】
上記の問題に対する一つの解決策は、吸収性物品のパッケージの中又は上に、個別にパックした湿らせた拭き取り用物品を備える個別の吸収性物品を提供することである。換言すれば、吸収性物品及びウェット型の拭き取り用物品は、互いに固定して組み合わされている。吸収性物品と拭き取り用物品のパッケージを互いに付着させると、取り扱わなければならない部分の数、更に又、廃棄する部分の数が減少するため、これらの組み合わせた吸収性物品は、従来の手法を越える改善となるものである。しかしながら、この手法の１つの欠点は、ある人が、適切な種類のパッケージがなければ、生理用ナプキンと拭き取り用物品が互いに単一の品目として販売されていることを認識しない可能性があり、従って、その人が、上述の欠点に対する取りうる解決策に気付かないということである。
【０００６】
吸収性物品と拭き取り用物品の組み合わせ体をパックし販売することに伴う更なる別の欠点は、適切なパッケージを用いたとしても、ある人が急いでいるか、又は単に、中の内容を判断するために、時間を割いて立ち止まり、パッケージを調べることで、不便に感じることを望まなければ、その人は、パッケージが拭き取り用物品と吸収性物品の組み合わせ体を含んでいることを認識しない可能性があることである。ある人は、上記のことを認識しない可能性があるだけでなく、拭き取り用物品がウェット型の拭き取り用物品であるか又はドライ型の拭き取り用物品であるか、分からない可能性もある。消費商品の多くのユーザーは、ある種類又はブランドの商品を他のものよりも好んでおり、従って、吸収性物品と拭き取り用物品の組み合わせ体を販売する先の試みの別の欠点は、パッケージ上に何らかの表示又は知覚的な指示がなければ、ある人は、その吸収性物品と拭き取り用物品が、通常では自身が別々の品目として購入しうる同じ製品であることに気が付かない可能性があるということである。
【０００７】
しばしば、吸収性物品のユーザーは、吸収性物品を使用する必要性が生じたとき、自宅にいないことがある。結果として、その人は、生じうるいかなる必要性にも対処するために、自宅から離れたある場所を見つけることが必要となりうる。そのような１つの場所は、公共の化粧室であろう。公共の化粧室は、個人の衛生上の必要性を処理するための場所を提供しうるが、多くの場合、好都合に吸収性物品を使用し且つ自身を必要に応じて拭き取り用物品で清潔にするための照明、空間又は棚を用意していない。吸収性物品に取り付けられた拭き取り用物品を有することで、この不都合の一部が緩和される一方で、拭き取り用物品を含んだパッケージを開口するために把持するのに適切な箇所を示す、容易に認識可能な手段が拭き取り用物品上にないとき、又は、拭き取り用物品のパッケージを吸収性物品に付着させる接合手段が、拭き取り用物品を吸収性物品に持続的に固着させるのに不十分な強度を有している場合、別の問題が生じることがある。
【発明の開示】
【発明が解決しようとする課題】
【０００８】
従って、香り付きの拭き取り用物品を取り付けた香り付きの吸収性物品を提供して、吸収性物品と拭き取り用物品が、関連した、相補的な、相乗的な又は同一の香気を有するようにすることが望ましい。又、パッケージの内側の吸収性物品に取り付けられた拭き取り用物品を人が見ることができるパッケージに含められた、拭き取り用物品を取り付けられた吸収性物品を提供することが望ましい。更に、拭き取り用物品を取り付けられた吸収性物品がパッケージ内に含まれていること、その吸収性物品及び拭き取り用物品が、個々に販売されている同じ製品であること、並びに／又は、その拭き取り用物品がウェット型の拭き取り用物品であることを人に伝えるための１つ以上の知覚的な指示を有するパッケージに含められた、拭き取り用物品を取り付けられた吸収性物品を提供することが望ましい。最後に、拭き取り用物品を吸収性物品に付着させる接合手段が、吸収性物品と拭き取り用物品とを、その拭き取り用物品が開口されている間、一体に保持するのに十分な強度を有する、拭き取り用物品を取り付けられた吸収性物品を提供すること、並びに、拭き取り用物品を開口するために拭き取り用物品パッケージのどこを把持すべきかを人に伝えるために、拭き取り用物品を含んだパッケージの上に、１つ以上の知覚的な指示を有することが、又更に望ましい。
【課題を解決するための手段】
【０００９】
先行技術に関連する上記の不都合に対する解決策を提供するために、本発明は、新規な吸収性製品の組立体及びそれに対するパッケージを提供する。
【００１０】
本発明の一態様において、吸収性物品と拭き取り用物品とを収納し分与するためのパッケージが提供される。このパッケージは、内部収納空間を画定する１つ以上の壁と、その内部収納空間に接近するための手段と、を有している。このパッケージは、内部収納空間内に設けられた１つ以上の第１の物品を有しており、その１つ以上の第１の物品のうちの少なくとも１つは吸収性物品である。このパッケージは、内部収納空間内に設けられた１つ以上の第２の物品を更に有しており、その１つ以上の第２の物品のうちの少なくとも１つが、拭き取り用物品を中に設けられた収容小袋である。その１つ以上の第２の物品のうちの少なくとも１つは、１つ以上の第１の物品のうちの少なくとも１つに接合されている。このパッケージは更に又、パッケージ上に１つ以上の知覚的な指示を備えており、パッケージ上のその１つ以上の知覚的な指示は、１つ以上の第２の物品上のしるしに関連している。このパッケージ上の１つ以上の知覚的な指示は又、拭き取り用物品に関連している。
【発明を実施するための最良の形態】
【００１１】
図１は、本発明の一実施形態の横断側面図を示す。図示の吸収性製品の組み合わせ体２１は、生理用ナプキン１と密閉ポーチ３とを備えており、その密閉ポーチ３は、接合手段２によってその生理用ナプキン１に接合されている。本明細書で使用するとき、「接合される」という用語は、第１の部材又は構成要素が、第２の部材又は構成要素に、直接的又は間接的に、取り付けられるか、付着されるか、ないしは別の方法で物理的に連結されている状態を指す。間接的に接合されている部材又は構成要素の例は、第１の部材又は構成要素が、中間部材又は構成要素に付着されているか又は連結されており、その中間部材が次に、第２の部材又は構成要素に付着されているか又は連結されている状態である。第１の部材又は構成要素と第２の部材又は構成要素との接合された関係は、永久的であっても一時的であってもよい。本明細書で使用するとき、「永久的に接合される」という用語は典型的には、取り付けられた構成要素のうちの１つを少なくとも部分的に破壊することなしには取り外すことができない連結を指す。本明細書で使用するとき、「一時的に接合される」という用語は典型的には、例えば、小袋を生理用ナプキンに取り除き可能に接合することを可能にする連結など、容易に取り除き可能となるよう意図した連結を指す。好適な接合手段２の一例は接着剤であってもよく、又、感圧性接着剤などの接着剤を使用して、収容小袋３を吸収性物品１に接合することが望ましい場合があるが、理解されたいこととして、本明細書で論じる又は当業者に既知である、収容小袋３を吸収性物品１に接合するための任意の好適な手段が、本発明によって企図される。
【００１２】
図１は生理用ナプキンを示しているが、理解されたいこととして、本発明は生理用ナプキンに限定されるものではなく、例えば、使い捨ておむつ、成人用失禁パッド、パンティライナーなど、任意の着用式の吸収性物品を企図するものである。更に理解されたいこととして、図１は、取り除き可能な包装材を有していない生理用ナプキンを示しているが、本発明は、生理用ナプキンに接合されているか又は接合されていない取り除き可能な包装材を含みうる、生理用ナプキンを有する実施形態を企図するものであり、その取り除き可能な包装材は、生理用ナプキンを部分的に又は完全に囲んでいてもよい。
【００１３】
図１に示す生理用ナプキン１は、身体に面する側部又は表面７と、対向する衣類に面する側部又は表面８とを有している。収容小袋３は、外方に面する側部２２と、対向する内方に面する側部２３とを有している。収容小袋の内方に面する側部２３は、生理用ナプキン１の衣類に面する側部８に接合することができる。生理用ナプキン１は、例えば経血などの膣排泄物を収集するために、又着用者の衣服がそのような排泄物によって汚れるのを防止するために使用することができる。ある特に好適な生理用ナプキンが、１９９６年１０月２９日にフィッシャー（Fisher）らに付与された米国特許第５，５６９，２３０号に従って作ることができる。生理用ナプキン１は又、生理用ナプキン１の少なくとも一部分の上に共に又は別々に設けられた１つ以上の香気組成物を含むことができる。
【００１４】
生理用ナプキン１に接合された収容小袋３は、収容小袋３が内部収納空間１５を画定するように作ることができる。収容小袋３は又、その内部収納空間１５内に設けられた拭き取り用物品４を有していてもよい。収容小袋３は又、蒸気不透過性であってよい。更に、収容小袋３は、トイレにおいて水で流すことが可能となるようにでき（即ち、「フラッシャブル」である）、トイレで流したとき、又、下水網の中を移動するときに十分に分解し、従って下水網のいかなる要素をも塞ぐことがない。そのような基準を満たす材料には、シリコーン処理したポリビニルアルコールフィルム、又はポリビニルアルコールでコーティングしたフィルム、ポリビニルアルコールでコーティングした若しくはポリビニルアルコールを含浸させたティッシュ、又は類似の若しくは他の水溶性材料が挙げられるが、これらに限定されるものではない。収容小袋３は、一体型構造を更に備えていてもよいが、理解されたいこととして、収容小袋３が一体型構造でない実施形態も又、本発明によって企図される。一体型という用語は、本明細書で使用するとき、出発原料の分割されていない単一片を利用するプロセスによって作られた収容小袋３であって、その出発原料が、１つの軸線の周りで折られて収容小袋３の１つの縁部を形成し、次いで残りの縁部の上で密封されて、密閉された内部収納空間１５を画定するものを指す。
【００１５】
ウェット型の拭き取り用物品、即ち、溶液を少なくとも部分的に染み込ませた拭き取り用物品を密閉するには、溶液が製造された時点から消費者によって使用される時点までにその溶液が相当に蒸発するのを防止しうるシールを、収容小袋３の全ての側部の周りに有すると有利となりうる。ウェット型の拭き取り用物品及びそれに含められる溶液についてのより詳細な説明を以下に示す。限定するものではないが、ヒートシール及び／若しくは圧力シール、超音波シール、グルーシール、ダウ社（Dow Company）の「ＺＩＰ  ＬＯＣＫＳ」などのジッパー式トラックシールシステム又はそれらの任意の組み合わせなどを含めて、いかなる数の封止機構を使用してもよい。加えて、収容小袋３は、蒸発を更に減少させるために、箔又は他の好適な材料で裏打ちしてもよい。収容小袋３は、吸収性製品の組み立て体２１を様々な可搬な収納場所に収納するのを支援するために、当業者に既知の極めて薄く且つ柔軟な材料を含むことができる。
【００１６】
図１に示すように、拭き取り用物品４は、収容小袋３によって画定された内部収納空間１５内に設けることができる。拭き取り用物品４は、不織布を備えていてもよい。この不織布は、例えばレーヨン、ポリエチレン、ポリプロピレン若しくはポリエステルなどの合成繊維、又は、例えばセルロース若しくは綿などの天然繊維を更に含んでいてもよい。拭き取り用物品４は、トイレットペーパー又はティッシュペーパーと類似した方式で、不織布材料又は湿式材料で作ることができる。収容小袋４は、トイレにおいて水で流すことが可能となるようにでき（即ち、「フラッシャブル」である）、そのため、トイレにおいて流したとき、又、下水網の中を移動するときに十分に分解し、従って下水網のいかなる要素をも塞ぐことがない。拭き取り用物品４として又収容小袋３としての使用に好適となりうる１つの材料が、１９８８年７月５日にマニング（Manning）らに付与された米国特許第４，７５５，４２１号に記載されている水流交絡布である。
【００１７】
拭き取り用物品４の寸法は変更することができる。拭き取り用物品４は、寸法が約２５平方センチメートル（約４平方インチ）以上であっても、寸法が約５０平方センチメートル（約９平方インチ）以上であっても、寸法が約１，４５０平方センチメートル（約２２５平方インチ）未満であっても、寸法が約１００平方センチメートル（約１６平方インチ）と約３２０平方センチメートル（約５０平方インチ）又は約２２５平方センチメートル（約３５平方インチ）との間であってもよい。
【００１８】
拭き取り用物品４は、清浄用の拭き取り用物品であってもよい。拭き取り用物品４は又、着用者が経血及び／又は他の身体排泄物を着用者の身体から拭い取るために使用しうる、衛生清浄用の拭き取り用物品であってもよい。経血が着用者の身体を去るとき、経血は、着用者の身体の外陰領域全体に濡れ広がりうる傾向があり、着用者の皮膚及び陰毛に留まることがあるため、経血を拭い取ることは特に重要となりうる。更に、経血は次いで、皮膚の上で又陰毛の中で乾燥し、後に拭い取るのが困難となることがある。
【００１９】
例えば衛生清浄用の拭き取り用物品などの拭き取り用物品４を個々の生理用ナプキン１に含めることによって、いくつかの利点がもたらされる。拭き取り用物品４は、清潔な感触をユーザーにもたらすことによって身体的快適性並びに心理的快適性を高めうる身体的清浄化を実現する。拭き取り用物品４は又、ユーザーのパンティの汚れを減じるために使用することもできる。パンティの汚れを生じる１つの仕組みは、汚れた身体面から着用者のパンティに経血が移動することである。加えて、拭き取り用物品４を使用することで、月経に伴う臭気を減じることもできる。
【００２０】
拭き取り用物品４は、液体ベースの清浄用溶液を備えたウェット型の（即ち液体を含有する）拭き取り用物品であってもよい。拭き取り用物品４は又、香り付きであってもよい。拭き取り用物品４は、液体ベースの清浄用溶液を含浸させた不織布を備えることができる。拭き取り用物品４は又、経血が着用者の皮膚及び陰毛に付着するのを防止するのに役立つ、シリコーンなどの物質を含有することもできる。液体ベースの清浄用溶液は、界面活性剤、アルコール、香気組成物、抗菌剤、ｐＨ緩衝剤、又はそれらの組み合わせなどを含むことができる。液体ベースの清浄用溶液は又、ハンドローションにおいて使用される整肌物質、又は清浄用の拭き取り用物品に含めるための当該技術分野において既知の他の任意の物質を含有することもできる。
【００２１】
他の実施形態は、例えば、鉱油、及び１９８４年１１月６日にアレン（Allen）に付与された米国特許第４，４８１，２４３号に記載されている皮膚軟化剤などの非水性清浄用溶液を含有する、１つ又は複数のドライ型の拭き取り用物品を有することができる。
【００２２】
香り付きの拭き取り用物品を生産するために、１つ以上の香気組成物が清浄用溶液に含まれていてもよい。しかしながら、例えば清浄用溶液を添加しうる前又は後に香気組成物を拭き取り用物品４に添加することなどによって存在しうる１つ以上の香気組成物が、清浄用溶液とは別に、拭き取り用物品４に含まれていてもよい。別の例は、例えば香気組成物を備える担体物質などの別々の組成物を含む拭き取り用物品４であろう。加えて、１つ以上の香気組成物が、共に又は別々に拭き取り用物品４の少なくとも一部分に設けられてもよい。
【００２３】
香り付きの拭き取り用物品は、望ましい結果をユーザーにもたらしうるが、拭き取り用物品４に含まれた１つ以上の香気組成物が、例えば生理用ナプキンなどの別の個人用ケア物品に含められた１つ以上の香気組成物によって生成される１つ以上の香気と関連した、相補的な、相乗的な又は同一の１つ以上の香気を生成するようにすると更に望ましいことがある。本明細書で使用するとき、「関連した」という用語は、２つ以上の要素の間のつながりを論理的に示すか又は確立しうる特性を有することを意味する。一例であり限定的するものではないが、バラの香気とランの香気は関連したものとなりうるが、それは、双方の香気が花という共通のテーマを有しているからである。関連した香気の別の例には、雨の香気と花の香気を挙げることもできるが、それは双方の香気が春という共通のテーマを有しているからである。本明細書で使用するとき、「相補的な」という用語は、ユーザーによって感知されると望ましい反応をそのユーザーに生じさせうる２つ以上の要素を指す。望ましい反応の例には、例えば享楽を感じること又は清潔さを思いつくことを挙げることができる。相補的な要素の一例には、花と果実の香気を挙げることができる。本明細書で使用するとき、「相乗的な」という用語は、ユーザーによって同時に感知されると、そのユーザーが要素を個別に感知したときに生じる反応よりも強い又は望ましい反応をユーザーに生じさせる複数の要素を指す。例えば、カーネーションなどの花の香気と桂皮などの香辛料の香気は、ユーザーによって同時に感知されると、例えば、それらの香気が個別に感知されたときよりも強い又は望ましい享楽の感覚などの反応を生じさせることができる。相乗的な香気の別の例には、商業的に入手可能なポプリによって生じる、そのポプリの香気を構成する個々の香りと比較した香気を挙げることができる。本明細書で使用するとき、香気に関して、「同一の」という用語は、同一の組成物を有するか、又は組成物が異なっている場合でも、通常のユーザーによって感知されたときに容易に識別可能な差異を有していない香気を指す。例えば、双方がバラの香気を生じる２つの香気組成物は同一のものとなる。
【００２４】
「関連した」、「相補的な」、「相乗的な」、及び「同一の」という用語についての上記の例は全て、香気（１つ又は複数）の使用を伴っているが、理解されたいこととして、例えばパッケージ（１つ又は複数）上のしるしなど、本発明の他の要素も又、関連した、相補的な、相乗的な、又は同一のものであってもよい。
【００２５】
吸収性製品の組み合わせ体２１は、例えば公共の化粧室など、自宅から離れた様々な環境において、消費者によって使用されうる。通常、自宅から離れた環境は、例えば空間、照明、収納場所又は処分場所がないが故に、吸収性製品の組み合わせ体２１を使用するのに好ましい環境ではない。このしばしば必然的となる不都合の結果、吸収性製品の組み合わせ体２１は、例えば、ポケット、財布、ハンドバッグ、又は通常自宅から離れている消費者に随伴する他の可搬な場所など、様々な可搬な収納場所に、消費者によって持ち運ばれることになりうる。消費者によって利用されうる可搬な収納場所は種々様々であるが故に、吸収性製品の組み合わせ体２１を可搬な収納場所から取り出す際に、収容小袋３が生理用ナプキン１から分離しないようにする目的で、接合手段２の接着力を、吸収性製品の組み合わせ体２１の重量と少なくとも同程度の大きさとすると望ましいことがある。
【００２６】
図２は、本発明の別の実施形態を示す。この例において、収容小袋３は、図１によって例示した中央部とは異なり、一方の端部で吸収性物品１に接合されている。理解されたいこととして、図示の位置は、単に一例として示したものであり、本発明は、収容小袋３が生理用ナプキン１の上の任意の好適な位置に取り付けられる実施形態を企図している。
【００２７】
収容小袋３は、その収容小袋３の中に含められた拭き取り用物品４に手で触れる目的で、収容小袋３を開封する（又は開口する）ための手段を有していてもよい。図３は、接合された収容小袋３を有する吸収性物品１０を備える吸収性製品の組み合わせ体２１の平面図を示す。収容小袋３は、第１の把持部分１３ａと第２の把持部分１３ｂとを画定するしるし１４を有している。この第１及び第２の把持部分１３ａ、１３ｂは、密封小袋３を開口するのを容易にする目的でユーザーが把持しうる小袋の領域を備えることができる。第１の把持部分１３ａは収容小袋３の全表面積の約１％〜５０％を含むことができるが、理解されたいこととして、第１の把持部分１３ａが収容小袋３の表面積の１％未満から約９５％の範囲を含むことができる実施形態も又、本発明によって企図される。
【００２８】
適切な力を第１の把持部分１３ａに加えることによって、第１の把持部分１３ａは少なくとも部分的に取り除くことができ、それによって収容小袋３が開口する。収容小袋３を開口させるのに必要な力の量は、接合手段２（図１に示す）の接着力よりも小さくてもよく、それにより、収容小袋３が吸収性物品１０から外れる恐れなく、第１の把持部分１３ａのみを利用することによって収容小袋３を開口することが可能となっている。収容小袋３を開口するのに必要な最大の力は、略０．５Ｎから略１５Ｎであってよい。収容小袋３を開口するのに必要な最大の力は又、略１Ｎから略１０Ｎであってよい。収容小袋３を開口するのに必要な最大の力は又、略６Ｎであってよい。収容小袋３を開口するのに必要な最大の力は又、収容小袋３を吸収性物品１０から必要に応じて比較的容易に外すことを可能にする目的で、接合手段２の接着力以上にしてもよい。
【００２９】
開口手段の一例には、外方に面する側部２２、内方に面する側部２３、又は双方の側部の、刻み目を付けた又は打抜きした脆弱線を有する収容小袋３を挙げることができる。この脆弱線により、タブ、イージーピールラベル又は当業者に既知の任意の他の通常の開口機構を用いて、収容小袋３を容易に開くことができる。脆弱線は、第１及び第２の把持部分１３ａ、１３ｂを画定するしるしと同じ位置に設けられていてもよいが、理解されたいこととして、開口手段が収容小袋３の他の任意の部分に設けられた実施形態も又、本発明によって企図される。収容小袋３の容易な開口を支援する別の例には、「ドライエッジ」ステッカー機構を挙げることができる。開口手段の更なる別の例には、例えば易引き裂き性フィルムなど、比較的引き裂きが容易な材料から作られた収容小袋３を挙げることができる。引き裂きが比較的容易な材料を備えるパッケージは、例えば、脆弱部分又は穿孔部分を加えるのに必要な工程などの付加的な処理工程を必要としないという利点を有する。好適な開口手段の更なる他の例には、取り除き可能な接着剤、取り除き可能なヒートシール及び／若しくは圧力シール、穿孔、破断シール、引き裂きシール、又は前述のものの任意の組み合わせなどが挙げられるが、これらに限定されるものではない。
【００３０】
開口すると、収容小袋３は、図４に示すような概ね直線の縁部、又は図６に示すような曲線状の縁部を有する開口部をもたらすことができる。
【００３１】
先に述べたように、収容小袋３の上に含められたしるし１４は、第１及び第２の把持部分１３ａ、１３ｂを含んだ収容小袋３上の領域をユーザーに伝えることができる。図３に示すように、吸収性製品の組み合わせ体２１は、収容小袋３の外方に面することが可能な側部２２上に設けられたしるし１４を含むことができる。図３のしるし１４は破線を含んでいるが、理解されたいこととして、本発明のしるし１４は、いかなる特定の対象物又は形状にも限定されないが、本発明のしるし１４には、容易に識別可能な画像又は模様を形成しうる又は形成しえない単一の色、色の組み合わせ、突起、対象物（１つ又は複数）、部分対象物、又は、対象物、部分対象物、若しくは前述のものなどのうちのいずれかの任意の組み合わせ（１つ又は複数）を挙げることができる。更に、限定するものではないが、小袋３に接合されうる又は小袋３を囲みうる任意の材料を含めて、しるし１４は、吸収性製品の組み合わせ体２１が、以下でより詳細に説明するようにパッケージの中で見えるようにされたとき、そのしるし１４が人間の目で検出可能となるように、小袋３の任意の部分又は位置に配置してよい。
【００３２】
図４は、本発明の一実施形態を示し、この実施形態において、収容小袋３は開口されており（即ち第１の把持部分１３ａが部分的に取り除かれている）、吸収性製品の組み合わせ体２１は、収容小袋３上に設けられた、水滴を描写するしるし１４を有することができる。しるし１４は、第２の把持手段１３ｂを含んだ、収容小袋３の部分において、収容小袋３の外方に面する側部２２上に設けられている。このようにして、第１の把持部分１３ａは、しるし１４を有していない部分としてユーザーによって認識されうるものとなり、第２の把持部分１３ｂは、しるし１４を有している部分として認識されうるものとなる。
【００３３】
図５は、本発明の別の実施形態を示し、この実施形態において、吸収性製品の組み合わせ体２１は、拭き取り用物品４を有する収容小袋３を備えることができ、この拭き取り用物品４は、第２の把持部分１３ｂを含む領域内に完全には配置されておらず、従って収容小袋３を開口すると目に見えるように、収容小袋３内に設けられている。
【００３４】
図６は、本発明の更なる別の実施形態を示し、この実施形態において、収容小袋３は、水滴１４ａと、花１４ｂと、破線１４ｃとを描写するしるしを有することができる。収容小袋３が第１の把持部分１３ａと第２の把持部分１３ｂとを備えている部分をユーザーに示すことができるだけでなく、収容小袋３内に設けられた拭き取り用物品４にも関連することができるようなしるし１４を、収容小袋３上に有すると望ましいことがある。例えば、本実施例においては、水滴１４ａを描写することにより、収容小袋３内に含められた拭き取り用物品４がウェット型の拭き取り用物品であることをユーザーに伝えることができ、花１４ｂを描写することにより、拭き取り用物品４が花の香りを含んでいることをユーザーに伝えることができる。破線１４ｃは、第１及び第２の把持部分１３ａ、１３ｂを画定する収容小袋３の部分を規定することができる。
【００３５】
吸収性物品を清浄用の拭き取り用物品と共に共通のパッケージに入れて販売することは、双方の種類の個人用ケア物品の実用性を組み合わせる効率的で且つ望ましい方式となりうるものであり、又、それによって、個人用ケア物品を使用することに伴ういかなる不快感をも最小にしうるものである。しかしながら、それら品目が同時にパックされていることを消費者に伝える効果的手段がなければ、消費者は、自身が入手可能な有利な製品に気付かないことがある。
【００３６】
図７は、内部収納空間２０を画定する１つ以上の壁を有するパッケージ９を示し、この内部収納空間２０は、例えば生理用ナプキンなど、１つ以上の吸収性物品１０を収納するためのものであるが、ここで、その少なくとも１つの吸収性物品１０は、その吸収性物品１０に取り付けられた収容小袋３を有することができる。吸収性物品１０は、全て互いに同一のものであってもよく、又、異なる吸収性物品１０であってもよい。図示したパッケージ９は、柔軟であり且つ層２５からできていてもよい。層２５は、内面と外面とを有している。層２５は、異なる材料で構成されていてもよく、又、実質的に同じ種類の材料で構成されていてもよい。層２５は、１つの層又は積層体で構成されていてもよい。その材料は、低密度ポリエチレンと直鎖低密度ポリエチレンとを配合させたインフレートフィルム又はキャストフィルム、メタロセン、エチレンビニルアセテート、サーリン、ポリエチレンテレフタレート、二軸延伸ポリプロピレン、ナイロン、若しくは前述の材料などの任意の組み合わせ、又は当業者に既知の他の任意の好適な材料を含むことができる。層２５は、折り畳み互いに固定して、パッケージ９を形成することができる。層２５は、本明細書で論じる任意の好適な手段、又は当該技術分野において既知の任意の手段によって互いに固定することができる。パッケージ９は、例えば、多面体の密閉箱を画定するか又は形成する多面体形状など、当該技術分野において既知の任意の形状であってよい。一実施形態は柔軟なポリマーフィルムパッケージであってよいが、理解されたいこととして、厚紙、板紙、チップボード、合板、ＳＢＳ、金属、プラスチック、紙、カード用紙、布、セラミック、ポリマー、天然若しくは合成繊維、ウェブ、メッシュ、スクリーン、木材、複合材料、混合物、又はそれらの組み合わせなどから作られたパッケージなど、柔軟でないパッケージも又、本発明によって企図される。
【００３７】
吸収性物品１０は、パッケージ９の内部空間２０内に積み重ね体を形成するように配列することができる。物品１０は、いかなる方向に積み重ねてもよい。本明細書で使用するとき、「積み重ね体」という用語は、整然とした堆積体を意味する。例えば、吸収性物品１０は、パッケージ９の内部収納空間２０の内側で、垂直に、水平に、又は任意の角度で積み重ねることができる。
【００３８】
パッケージ９は、吸収性物品２０に容易に手が届くように、内部収納空間２０に接近するための手段を有することができる。内部収納空間２０に接近するための機構又は手段には、一筋の穿孔、タブ、接着開口部若しくはそれらの任意の組み合わせ、又は、当業者に既知の、内部収納空間２０に接近するための任意の好適な手段を挙げることができる。
【００３９】
パッケージ９は更に、図７に示すような、少なくとも１つのパッケージ側部に設けられた少なくとも１つの透明性の領域１２を有することができる。本明細書で使用するとき、「透明性の」という用語は、向こう側の物体が、正常な視力を有する人によって約３０．５ｃｍ（１２インチ）の距離から比較的明確に視界にとらえられうるように、相当な散乱なしに光を透過させる特性を有することを意味する。吸収性物品１０に接合された収容小袋３は、収容小袋３の少なくとも一部分が、又所望により、その収容小袋３上に含められたしるし１４ａ及び／又は１４ｃが、人間の目によって透明性の領域１２を通じて検出されうるように、透明性の領域１２に隣接して配置することができる。理解されたいこととして、少なくとも１つの収容小袋３が１つ以上の透明性の領域１２のうちの少なくとも１つに隣接し、その結果、収容小袋３の少なくとも一部分と、その一部分の上に含められたしるし１４ａ及び／又は１４ｃの少なくとも一部が、人間の目によって、１つ以上の透明性の領域のうちの少なくとも１つを通じて検出される、１つ以上のパッケージ壁に含められた１つ以上の透明性の領域１２を有するパッケージ９を表す実施形態も又、本発明によって企図される。
【００４０】
吸収性物品１０と、その吸収性物品１０の中に設けられた拭き取り用物品を有する収容小袋３とが共に販売されていることを、例えば先に説明した透明性の領域１２を使用することによって、消費者に伝えることに加えて、第１及び第２の物品を備える商品の種類を消費者に伝えうるしるしをそれぞれが有する１つ以上の第１の物品と１つ以上の第２の物品とを備えるパッケージを有することが又望ましい場合がある。物品を備える商品の種類を伝えることに加えて、共通のパッケージに入れて共に販売されているその商品は、消費者が個別に購入する同じ商品であることを消費者に伝えることが又、望ましい場合がある。前述のメッセージの双方を同時に消費者に伝えることが、更に望ましい場合がある。
【００４１】
ここで図８を参照すると、内部収納空間１２０と、例えば生理用ナプキンなどの吸収性物品を備える１つ以上の第１の物品１１０と、収容小袋を備え、その収容小袋の中に設けられた拭き取り用物品をそれぞれが有しうる１つ以上の第２の物品１０３と、を備えるパッケージ１０９が示されている。第１の物品１１０と第２の物品１０３は接合することができる。パッケージ１０９は又、しるし１１１を有することができる。
【００４２】
パッケージ１０９は、上に設けられた水滴１１１ａを有する拭き取り用物品１１ｂの描写を有していてもよく、この描写は、１つ以上のウェット型の拭き取り用物品がパッケージ１０９の中に含まれていることを消費者に伝えることができる。パッケージ１０９は、例えば１つ以上の水滴１１１ｃの描写などのしるし１１１を更に又有していてもよく、このしるし１１１は、上述した１つ以上の透明性の領域１１２を通じて消費者によって視認可能な、１つ以上の第２の物品１０３上のしるし１１４に関連するものであってよい。
【００４３】
パッケージ１０９内に含められた個人用ケア製品は、消費者が通常別々に販売されている品目として購入する製品と同じであることを消費者に伝えるために、パッケージ１０９は、そのような情報を消費者に伝えうるしるし１１１を有していてもよい。例えば、複数のウェット型の拭き取り用物品が、水滴を描写したしるしを有する１つのパッケージに入れられて別々に販売されており、その水滴が、上述したものなどの吸収性製品の組み合わせ体を含んだパッケージ上に描写された水滴と関連しているか、類似しているか、実質的に同じであるか、又は同一である場合、消費者は、別々に販売されている拭き取り用物品と、吸収性製品の組み合わせ体の中の拭き取り用物品とが、同じ拭き取り用物品であることが分かり、購入においてより楽に感じることができる。
【００４４】
図９は、本発明の別の実施形態の例を示す。図９のパッケージ１０９は、内部収納空間１２０と、１つ以上の第１の物品１１０と、１つ以上の第２の物品１０３とを備えることができる。第１の物品１１０は、例えば生理用ナプキンなどの吸収性物品を備えることができる。第２の物品１０３は、中に設けられた拭き取り用物品を有する収容小袋を備えることができる。第１の物品１１０と第２の物品１０３は接合することができる。パッケージ１０９は更に又、しるし１１１を有することができる。
【００４５】
パッケージ１０９は、２つの隣接する壁に連続的な窓を形成する透明性の領域１１２を有することができる。透明性の領域１１２は、例えば図示の先細の形状など、透明性の領域１１２を調べるように人間の目を促しうる形状を備えていてもよい。この場合、先細になった形状の窓を見る消費者は、パッケージ１０９を抜き取り、収容小袋３及びその対応するしるし１１４ａ、１１４ｃに注目する傾向がより高くなりうる。この更なる相互作用が消費者によってパッケージ１０９となされる結果として、消費者がここで、パッケージ１０９内に含まれた吸収性製品の組み合わせ体の高められた利点を更に意識するという事実により、購入の見込みがより高くなることがある。
【００４６】
図１０は、本発明の別の実施形態の平面図である。図１１は、図１０における実施形態の線１１に沿った横断側面図である。図示の吸収性製品の組み合わせ体２２６は、例えばパンティライナーなどの吸収性物品２１８と、中に設けられた拭き取り用物品２０４を有する収容小袋２０３と、身体に面する側部２０７と、衣類に面する側部２０８と、収容小袋２０３を吸収性物品２２６に接合するための接合手段２０２と、取り除き可能に取り付けられた剥離紙２１７とを備えている。
【００４７】
図示の剥離紙２１７は長方形の形状を備えているが、理解されたいこととして、限定するものではないが、吸収性物品の形状と類似した、実質的に同じ、又は同一の形状を含めた他の形状が、本発明によって企図される。加えて、この例は、吸収性物品よりも大きい面積を有する剥離紙２１７を示しているが、理解されたいこととして、吸収性物品の面積と等しいか又は吸収性物品の面積よりも小さい面積を有する剥離包装紙も又、本発明によって企図される。
【００４８】
「発明を実施するための最良の形態」で引用した全ての文書は、関連部分において参照によって本願に援用されるが、いずれの文書の引用も、それが本発明に対する先行技術であることを認めるものとして解釈されるべきではない。この文書における用語のいずれかの意味又は定義が、参照によって援用される文書における用語のいずれかの意味又は定義と対立する程度まで、本文書においてその用語に与えられた意味又は定義を優先するものとする。
【００４９】
本発明の特定の実施形態について説明し記載したが、他の様々な変更及び修正が、本発明の精神及び範疇から逸脱することなくなされうることが、当業者には明らかとなろう。従って、本発明の範疇にあるそのような全ての変更及び修正は、添付の特許請求の範囲で網羅することとする。
【図面の簡単な説明】
【００５０】
【図１】本発明の一実施形態の横断側面図。
【図２】本発明の別の実施形態の横断側面図。
【図３】本発明の一実施形態の平面図。
【図４】本発明の一実施形態の平面図。
【図５】本発明の一実施形態の平面図。
【図６】本発明の一実施形態の平面図。
【図７】本発明の別の実施形態の等角図。
【図８】本発明の別の実施形態の等角図。
【図９】本発明の別の実施形態の等角図。
【図１０】本発明の別の実施形態の平面図。
【図１１】本発明の別の実施形態の横断側面図。
【図１】
2009518248.tif 000003
【図２】
2009518248.tif 000004
【図３】
2009518248.tif 000005
【図４】
2009518248.tif 000006
【図５】
2009518248.tif 000007
【図６】
2009518248.tif 000008
【図７】
2009518248.tif 000009
【図８】
2009518248.tif 000010
【図９】
2009518248.tif 000011
【図１０】
2009518248.tif 000012
【図１１】
2009518248.tif 000013
【国際調査報告】
2009518248.tif 000014
2009518248.tif 000015
2009518248.tif 000016